(57)【要約】【課題】オフィステルやワンルームなどの狭小な室内空間で一つの家具を多様な用途、すなわち、ソファ、ベッド、机及び食卓をはじめとする多様な用途に使用できるように構造を容易に転換可能な多用途家具を提供することによって、家具の購入費用を節減するとともに、狭い室内空間をより効率的に利用するソファ兼ベッド機能を有する多用途家具を提供すること。【解決手段】背もたれと着座部にそれぞれクッションが分離可能に設置された一対のソファ；及び前記一対のソファ間に配置され、上板の高低を調節可能なテーブル；を含んでソファ兼ベッド機能を有する多用途家具を構成する。【選択図】図５
2013031577.tif 000002
【特許請求の範囲】
【請求項１】
背もたれと着座部とにそれぞれクッションが分離可能に設置された一対のソファと、
前記一対のソファ間に配置され、上板の高低を調節可能なテーブルと、
を含む
ことを特徴とする、ソファ兼ベッド機能を有する多用途家具。
【請求項２】
前記テーブルの上板の高低は、前記テーブルが有する脚の長さ調節及び／又は当該脚の角度調節によって調節される
ことを特徴とする、請求項１に記載のソファ兼ベッド機能を有する多用途家具。
【請求項３】
前記テーブルの上板の高低は、前記着座部の高さと、利用者が前記ソファに座った状態でテーブルとして使用するのに適した所定の高さと、の間で調節される
ことを特徴とする、請求項１又は２に記載のソファ兼ベッド機能を有する多用途家具。
【請求項４】
前記脚の長さ及び／又は前記足の角度は、油圧式又はギア方式によって調節される
ことを特徴とする、請求項１〜３のいずれか１項に記載のソファ兼ベッド機能を有する多用途家具。
【請求項５】
前記多用途家具は、側面部材をさらに含み、前記ソファと前記テーブルの一側とは側面部材に分離可能に固定設置される
ことを特徴とする、請求項１に記載のソファ兼ベッド機能を有する多用途家具。
【請求項６】
前記脚は、
前記テーブルの上板が前記ソファの着座部の高さと同一になる上部脚と、
前記上部脚に折り畳み可能に付着され、広がった状態で、テーブルとして使用するのに適した高さになる下部脚と、
により形成され、
前記上板の下部一側に設置された露出型脚と、
前記上板の下部他側に上端が連結され、下端が前記側面部材に埋められて設置された４節リンク型脚と、
を含む
ことを特徴とする、請求項５に記載のソファ兼ベッド機能を有する多用途家具。
【請求項７】
前記下部脚には、当該下部脚を立った状態に維持するための固定レバーが備えられ、
前記上部脚には、前記固定レバーの解除時に前記下部脚を折り畳むための突出しピンが備えられている
ことを特徴とする、請求項６に記載のソファ兼ベッド機能を有する多用途家具。
【請求項８】
前記側面部材及び前記上板の側面の一方には、前記側面部材と前記上板の側面とが接する面に磁石が埋め込まれ、
前記側面部材及び前記上板の側面の他方には、前記側面部材と前記上板の側面とが接する面に磁性体が埋め込まれ、
前記側面部材と前記上板の側面とが接する場合に、前記磁石と前記磁性体とが接するように形成されている
ことを特徴とする、請求項７に記載のソファ兼ベッド機能を有する多用途家具。
【請求項９】
前記下部脚の下端には、当該下部脚が室内の床に接地された状態で折り畳まれたり、広げられたりする動作を円滑に行うための車輪がさらに付着される
ことを特徴とする、請求項７に記載のソファ兼ベッド機能を有する多用途家具。
【請求項１０】
前記側面部材は本棚機能を兼ねる
ことを特徴とする、請求項６に記載のソファ兼ベッド機能を有する多用途家具。
【請求項１１】
前記側面部材は２階ベッド機能を兼ねる
ことを特徴とする、請求項６に記載のソファ兼ベッド機能を有する多用途家具。
【請求項１２】
前記側面部材にはコンピュータのモニター収納部が備えられ、
前記モニター収納部は引き出しと回転機能を有する
ことを特徴とする、請求項１０に記載のソファ兼ベッド機能を有する多用途家具。
【発明の詳細な説明】
【技術分野】
【０００１】
本発明は、オフィスやワンルームなどの狭小な室内空間で一つの家具を多様な用途に使用できるように構造を転換可能に製作した家具に関する。より詳細には、一対のソファと、上板の高低を調節可能なテーブルとからなり、普段はソファ、食卓又は机として使用しながら、就寝の際にはベッドに簡便に転換できるようにしたソファ兼ベッド機能を有する多用途家具に関するものである。
【背景技術】
【０００２】
一般に、狭い室内空間の住居活用度を高めるために、昼間にはソファに、夜間にはベッドに変換できるソファ兼ベッドに関する技術は知られているが、従来のソファ兼ベッドは、そのほとんどが単純に背もたれを広げたり折り畳んだりすることによってソファからベッドに転換可能にしたものであり、その他の用途、例えば、勉強のための机、食事のための食卓又はその他作業のためのテーブルなどとして使用することは不可能であった。
【先行技術文献】
【特許文献】
【０００３】
【特許文献１】特開２０００−１１６４６５号公報
【発明の概要】
【発明が解決しようとする課題】
【０００４】
そこで、本発明は、上記問題に鑑みてなされたものであり、本発明の目的とするところは、オフィステルやワンルームなどの狭小な室内空間で一つの家具を多様な用途、すなわち、ソファ、ベッド、机及び食卓をはじめとする多様な用途に使用できるように構造を容易に転換可能な多用途家具を提供することによって、家具の購入費用を節減するとともに、狭い室内空間をより効率的に利用することが可能な、新規かつ改良された多用途家具を提供することにある。
【課題を解決するための手段】
【０００５】
上記課題を解決するために、本発明のある観点によれば、背もたれと着座部にそれぞれクッションが分離可能に設置された一対のソファと、前記一対のソファ間に配置され、上板の高低を調節可能なテーブルとを含んで構成されるソファ兼ベッド機能を有する多用途家具が提供される。
【０００６】
また、前記テーブルは、脚の長さや角度調節によって上板の高低を調節できるように構成され、このような脚の長さや角度調節は、手動式、油圧式又は電動式で駆動可能であってもよい。
【０００７】
また、上記課題を解決するために、本発明の他の観点によれば、背もたれと着座部にそれぞれクッションが分離可能に設置された一対のソファと、前記一対のソファ間に配置され、上板の高低を調節可能なテーブルと、前記ソファとテーブルの一側が分離可能に固定設置される側面部材とを含んで構成されるソファ兼ベッド機能を有する多用途家具が提供される。
【０００８】
また、前記テーブルの脚は、２段からなる折り畳み式脚と、前記側面部材に収納された４節リンク型脚とから構成されていてもよく、テーブルの使用時とベッドの使用時に外部で簡便にテーブルの上板の高低を調節するとともに、高低が調節された状態を安定的に維持するための固定レバー、突出しピン、車輪、磁石及び磁性体が必要な位置に設置されていてもよい。
【０００９】
また、また、上記課題を解決するために、本発明の他の観点によれば、前記側面部材が本やモニターなどを収納できる本棚などの収納家具の機能を兼ねる多用途家具が提供される。
【発明の効果】
【００１０】
狭い室内空間に設置し、使用用途に合わせて構造を転換できるようになっており、多くの種類の家具を購入しなくてもよいので、家具の購入費用を節約することができ、昼間には、室内での多様な生活、例えば、お客さんを迎えるための応接セットとして使用したり、勉強や作業のための机として使用したり、食事のための食卓として使用することによって空間を効果的に活用するとともに、就寝の際にはソファを簡単にベッドに転換することができ、その結果、少なくとも一つの家具で一石三鳥以上の機能を発揮できる、という効果が得られる。
【図面の簡単な説明】
【００１１】
【図１】本発明の第１の実施例による多用途家具の斜視図である。
【図２】図１に示した多用途家具の正面図である。
【図３】図１に示した多用途家具がベッドとして使用される状態を示す正面図である。
【図４】本発明の第２の実施例によるテーブルの高低調節状態を示す図である。
【図５】本発明の第３の実施例による多用途家具の骨格構造を示す斜視図である。
【図６】図５においてテーブルの上板の高さをベッドとして使用するために低くした状態を示す斜視図である。
【図７】図５の状態を示す側断面図である。
【図８】図６の状態を示す側断面図である。
【図９】ソファとして使用するときの状態を示す斜視図である。
【図１０】ベッドとして使用するときの状態を示す斜視図である。
【図１１】本発明の第４の実施例による多用途家具の斜視図である。
【図１２】図１１におけるモニターの引き出し及び回転状態を示す斜視図である。
【図１３】本発明の第５の実施例による多用途家具の斜視図である。
【図１４】ソファを一列に配置して使用する状態を示す斜視図である。
【発明を実施するための形態】
【００１２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１３】
図１〜図３は、本発明の第１の実施例による多用途家具を示している。
【００１４】
図面に示すように、本実施例では、背もたれ１２と着座部１４にそれぞれクッションＣ１、Ｃ２が分離可能に設置された一対のソファ１０、１０’と、前記一対のソファ１０、１０’間に配置され、上板２２の高低を調節可能なテーブル２０とを含んで構成されている。
【００１５】
本実施例で、前記テーブル２０の上板２２の高低は、脚２４の長さ調節により、図３に示すように、ソファ１０の着座部１４と一致する高さＨ１とソファ１０に座った状態でテーブルとして使用するのに適した高さＨ２に調節できるようになっている。これは、脚の内部に油圧シリンダーを内蔵し、外部で操作するためのペダルやスィッチなどを使用して上板１２の高低を調節すればよいが、このような昇降メカニズムとしては、例えば、事務用や理美容室用椅子で一般的に使用される方式が適用可能である。なお、この一般的に使用される方式に関しては、本実施例に係る技術の属する技術分野で通常の知識を有する者にとって自明な事項であるので、これについての具体的な説明は省略する。
【００１６】
本実施例で、前記ソファ１０、１０’とテーブル２０は、それぞれ別途の場所に移動して使用することができ、図１及び図２に示すように、２個のソファ１０、１０’を対向するように配置し、２個のソファ１０、１０’間にテーブル２０を配置することによって応接セットとして使用したり、食卓又は勉強用机などとして使用したりすることができる。また、睡眠をとろうとする場合は、図３に示すように、テーブル２０の上板２２の高さをソファ１０、１０’の着座部１４の高さと一致するように低くした後、ソファ１０、１０’の背もたれ１２と着座部１４に置かれていたクッションＣ１、Ｃ２を水平に敷くと、脚を伸ばして楽に横たわることのできるベッドに転換される。
【００１７】
一方、一対のソファ１０、１０’とテーブル２０との間の間隔は任意に調節可能であるので、使用者の身が高い場合、左右側のソファ１０、１０’をテーブル２０からやや離隔させ、使用者の身が低い場合、左右側のソファ１０、１０’をテーブル２０にほぼ密着させるとしても、ベッドとして充分に使用することができる。
【００１８】
図４は、本発明の第２の実施例によるテーブルの高低調節構造及び高低調節状態を示しているが、本実施例では、一対のソファ１０、１０’（図１〜図３参照)間に配置されるテーブル２０の上板２２の高低調節方式が第１の実施例の場合と相違している。これは、脚２４の角度調節により、ソファの着座部の高さＨ１とソファに座った状態でテーブルとして使用するのに適した高さＨ２に高低を調節できるようになっている。本実施例で、脚２４は、中間部が交差しながらヒンジ結合されたＸ字状となっており、一側の脚２４ａの上端は上板２２の一側にヒンジ結合されたもので、他側の脚２４ｂの上端の位置を、上板２２のほぼ中間部分に形成された高さ調節溝２３ａから上板２２の他端に形成された高さ調節溝２３ｂに移動することによって、すなわち、脚２４の角度を調節することによって上板２２の高低を調節できるようになっている。
【００１９】
本実施例で、前記脚２４の角度は、手動式で調節できるようになっているが、本実施例に係る技術は、これに限定されるものではなく、自動車用手動ジャッキでのねじ式又はギア式ハンドルを使用して脚の角度を調節したり、電動モーターを使用してより便利に脚の角度を調節したりすることもできる。
【００２０】
図５〜図１０は、本発明の第３の実施例による多用途家具を示している。
【００２１】
本発明の第３の実施例による多用途家具は、背もたれ１２と着座部１４にそれぞれクッションＣ１、Ｃ２が分離可能に設置された一対のソファ１０、１０’と、前記一対のソファ１０、１０’間に配置され、上板２２の高低を調節可能なテーブル２０と、前記ソファ１０、１０’とテーブル２０の一側が分離可能に固定設置される側面部材３０とを含んで構成されている。
【００２２】
本実施例で、前記側面部材３０は、基本的にソファ１０、１０’とテーブル２０をより安定的な配置状態に維持する役割をするとともに、仕切りの機能をして心理的な安定感を与える役割をする。この仕切り部分を室内空間で壁又はその他家具側に付けたり、又は開放された側に配置したりすることによって室内空間を多様に演出することができる。
【００２３】
また、本実施例で、前記側面部材３０は、テーブル２０の脚を収納する機能も兼ねているが、本実施例におけるテーブル２０の脚２４は、図示したように、上板２２がソファ１０、１０’の着座部１４の高さと同一になる上部脚２４１と、この上部脚２４１に折り畳み可能に付着され、広がった状態でテーブルとして使用するのに適した高さになる下部脚２４２とからなり、前記上板２２の下部一側に設置された露出型脚２４０ａと、前記上板２２の下部他側に上端が連結され、下端は前記側面部材３０に埋められて設置された４節リンク型脚２４０ｂと、を含んで構成されている。
【００２４】
本実施例で、前記側面部材３０は、上下の水平フレーム３１に木材からなる正面、上面及び側面パネル３２ａ、３２ｂ、３２ｃ、３２ｄが付着され、内部に所定の空間が形成されたものであって、この内部の空間に前記４節リンク型脚２４０ｂが収納された状態を維持している。
【００２５】
すなわち、前記４節リンク型脚２４０ｂにおいては、側面部材３０の垂直フレーム３３に２個の平行アーム２５、２６が上下に配置されて回動可能にピンで固定されており、前記平行アーム２５、２６の上端は、それぞれテーブル２１の上板２２の下部に位置したフレーム２２ａに回動可能に固定されている。そのため、テーブル２０の上板２２は、前記平行アーム２５、２６の回動動作によって水平状態を維持しながら昇降できるようになっている。
【００２６】
また、前記下部の平行アーム２６の下端と側面部材の金属フレーム３２との間にはガスシリンダー２７が付着されているので、テーブル２０の上板２２は、上昇動作時には、テーブル２１の上板２２が重いとしてもガスシリンダー２７の作用によって容易に持ち上げられるようになり、下降動作時にもガスシリンダー２７の緩衝機能によって滑らかに下降できるようになっている。
【００２７】
一方、前記露出型脚２４０ａを構成する下部脚２４２には、この下部脚２４２を立った状態に維持するための固定レバー２８が備えられており、前記上部脚２４１には、固定レバー２８の解除時に下部脚２４２をテーブル２０の下側に容易に折り畳むための突出しピン２９が設置されている。
【００２８】
前記固定レバー２８においては、長い棒２８ａの端に楕円形の掛止金具２８ｂが付着されており、この掛止金具２８ｂが、側面部材３０に形成された楕円形掛止穴３８に嵌められて掛かった状態を維持することによって、下部脚２４２が回動せずに垂直に立った状態を維持するとともに、テーブル２０の上板２２が側面部材３０に密着した状態を維持できるようになっている。また、前記棒２８ａの他端には取っ手２８ｃが付着されており、中間部分には棒２８ａを側面部材３０側に押すためのスプリング２８ｄ及びワッシャー２８ｅが嵌められており、ワッシャー２８ｅは下部脚２４２の内側に密着している。
【００２９】
これによって、掛止金具２８ｂを掛止穴３８に嵌め込んだ状態で取っ手２８ｃを９０度の角度で回すと、掛止金具２８ｂが掛止穴３８の内側に密着して掛かった状態となり、その結果、下部脚２４２が折り畳まれずに立った状態を維持するようになる。
【００３０】
一方、下部脚２４２を折り畳む場合は、取っ手２８ｃを９０度の角度で回しながら外側に引っ張ると、掛止金具２８ｂが掛止穴３８から離脱し、下部脚２４２が折り畳まれるようになる。
【００３１】
前記固定レバー２８の棒２８ａは、テーブル２０の上板２２底面の支持ブラケット２２ｂと下部脚２４２上部側のスリット２４２ａに水平方向に結合された支持軸２４２ｂに嵌められた状態で作動するので、テーブルの上板２２を持ち上げたり下げたりする動作をするとき、その位置が逸脱することなく上板２２の下部に位置するようになり、動作を妨害することはない。
【００３２】
また、前記テーブル２０の上板２２の側面と側面部材３０には、上板２２の上端高さに付着される磁石４０と磁性体４２が対応する位置に固定設置されており、上板２２がテーブルとして使用されるとき、上板２２と側面部材３０との間に隙間が発生するおそれがなく、上板２２の左右移動も防止することができる。
【００３３】
また、前記下部脚２４２の下端には、下部脚２４２が室内の床に接地された状態で折り畳まれたり広げられたりする動作を円滑に行うための車輪２４３がさらに付着されており、前記下部脚２４２のほぼ中間部分には、下部脚２４２を立たせるときに手でつかむための取っ手２４４が備えらている。また、この取っ手２４４は、かばんなどを掛けるためのハンガーとしても使用可能な形態となっている。
【００３４】
図１１は、本発明の第４の実施例による多用途家具を示しているが、本実施例では、側面部材３０が通常の本棚の機能を発揮するようになっている。
【００３５】
本実施例で、前記側面部材３０にはコンピュータのモニター収納部３４が備えられ、前記モニター収納部３４は、図１２に示すように、コンピュータの使用時にはモニターＭをテーブル２０側に引き出せるとともに、ソファ１０、１０’側に向けて回転できる構造となっている。
【００３６】
図１３は、本発明の第５の実施例による多用途家具を示しているが、本実施例では、側面部材３０の上部側に２階ベッド３６がさらに備えられており、２人以上が下部のソファ兼ベッドと上部の２階ベッドで同時に睡眠を取れるようになっている。
【００３７】
図１４は、本発明に係る実施例においてソファ１０、１０’を一列に配置して使用する状態を示したが、本発明に係る実施例は、ソファ１０、１０’を対向して配置することに限定されるものではなく、必要に応じて、ソファ１０、１０’を一列に配置してテレビを視聴することも可能であり、これによって、室内空間をより効果的に使用することができる。
【００３８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００３９】
（参考）
第１のクッションが設置された着座部と、第２のクッションが着脱可能に設置された背もたれ部と、を有する第１のソファと、
第１のクッションが設置された着座部と、第２のクッションが着脱可能に設置された背もたれ部と、を有する第２のソファと、
伸縮可能な脚部と、前記脚部に支持される上板と、を有するテーブルと、
を含み、
前記脚部は、
床から前記着座部に設置された前記第１のクッションの上面までの高さと、前記上板に前記第２クッションを載置した場合における前記床から当該第２のクッションの上面までの高さとが等しくなる長さまで縮むように形成されている、
ソファ兼ベッド機能を有する多用途家具。
【００４０】
前記多用途家具は、前記テーブルの側方に設置された側面部材を含んでいてもよい。
【００４１】
前記側面部材は、
前記床に設置される本体部と、
前記テーブルの上板を下側から支持するフレームと、
前記フレームと前記本体部とを接続する４節リンク型脚と、
を含んでいてもよく、
前記４節リンク型脚は、
前記床から前記着座部に設置された前記第１のクッションの上面までの高さと、前記上板に前記第２クッションを載置した場合における前記床から当該第２のクッションの上面までの高さとが等しくなる位置に前記テーブルを移動可能に構成されていてもよい。
【００４２】
前記本体部の上部には、本棚及び／又はパソコン台が設けられていてもよい。また、前記本体部は、前記テーブルの上部に所定以上の空間を空けて配置されるベッド部を有していてもよい。
【符号の説明】
【００４３】
１０、１０’    ソファ
１２    背もたれ
１４    着座部
Ｃ１、Ｃ２    クッション
２０    テーブル
２２    上板
２４    脚
２４０ａ    露出型脚
２４０ｂ    ４節リンク型脚
２５、２６    平行アーム
２８    固定レバー
２９    突出しピン
３０    側面部材
３１    水平フレーム
３２ａ、３２ｂ、３２ｃ、３２ｄ    パネル
３３    水平フレーム
３４    モニター収納部
３６    ２階ベッド
４０    磁石
４２    磁性体
【図１】
2013031577.tif 000003
【図２】
2013031577.tif 000004
【図３】
2013031577.tif 000005
【図４】
2013031577.tif 000006
【図５】
2013031577.tif 000007
【図６】
2013031577.tif 000008
【図７】
2013031577.tif 000009
【図８】
2013031577.tif 000010
【図９】
2013031577.tif 000011
【図１０】
2013031577.tif 000012
【図１１】
2013031577.tif 000013
【図１２】
2013031577.tif 000014
【図１３】
2013031577.tif 000015
【図１４】
2013031577.tif 000016